(57)【要約】【課題】  球払出機構とカウントスイッチの組み付け作業を容易に精度良く行うことができ、カウントスイッチのメンテナンス作業を容易且つ経済的に行う。【解決手段】  本発明は、遊技盤５が装着された前枠２の背面側に取付けられた裏セット盤２０に対して着脱可能に設けられ、所定の払い出し条件に基づいて遊技者に球を払い出す遊技機用球払出装置４５であって、球を１球単位で払い出し可能な球払出機構部６１と、球払出機構部６１から払い出された球を計数可能なカウントスイッチ６２ａ，６２ｂと、球払出機構部６１及びカウントスイッチ６２ａ，６２ｂを着脱自在に収容可能な収容ケース体６３と、該収容ケース体６３及び収容ケース体６３に収容されたカウントスイッチ６２ａ，６２ｂを保持可能な保持レバー６４とを備えていることを特徴とする。【選択図】  図４
2005152091.tif 000002
【特許請求の範囲】
【請求項１】
遊技盤が装着された前枠の背面側に取付けられた裏セット盤に対して着脱可能に設けられ、所定の払い出し条件に基づいて遊技者に球を払い出す遊技機用球払出装置であって、
球を１球単位で払い出し可能な球払出機構部と、
該球払出機構部から払い出された球を計数可能なカウントスイッチと、
前記球払出機構部及び前記カウントスイッチを着脱自在に収容可能な収容ケース体と、
該収容ケース体及び該収容ケース体に収容された前記カウントスイッチを保持可能な保持レバーと、
を備えていることを特徴とする遊技機用球払出装置。
【請求項２】
前記収容ケース体には、該収容ケース体の前後左右及び上方への動きを規制した状態で前記裏セット盤に前記収容ケース体を仮止めするための係止部と、前記カウントスイッチの上下左右及び前方への動きを規制した状態で前記収容ケース体に前記カウントスイッチを収容するためのカウントスイッチ収容部とが設けられ、前記保持レバーは、上下方向に回転可能なように前記収容ケース体の下方の部材に枢支され、前記収容ケース体の下方への動き及び前記カウントスイッチの後方への動きをそれぞれ規制可能に設けられている請求項１に記載の遊技機用球払出装置。
【発明の詳細な説明】
【技術分野】
【０００１】
本発明は、パチンコ遊技機等の遊技機に関し、特に、所定の払い出し条件に基づいて遊技者に球を払い出す球払出装置に関する。
【背景技術】
【０００２】
従来、パチンコ遊技機等、球を遊技媒体として使用する弾球遊技機には、遊技盤を着脱自在に装着した前枠が設けられており、その前枠の背面側に裏セット盤が取付けられている。そして、この裏セット盤には、球払出機構として、入賞口への入賞等の所定の払い出し条件に基づいて遊技者に所定量の球を払い出す球払出装置が設けられている。
【０００３】
最近の球払出装置には、所望の球払い出し数を設定可能なように１球単位で球を払い出す球払出機構が設けられており、この球払出機構は、モータの駆動により爪車を所要個数分の角度だけ回転させて球を払い出す構造を有しており、ユニット化された形態が主流となっている。また、前記球払出機構の直下には、該球払出機構から払い出された球を計数するカウントスイッチが設けられており、実際に払い出された球を正確に計数することができるようになっている。
【０００４】
そして、この種の球払出装置には、球払出機構（ユニット）とカウントスイッチを別体に形成させたものと（例えば、特許文献１参照）、球払出機構とカウントスイッチを一体に形成させたものが提案されている（例えば、特許文献２参照）。
【０００５】
【特許文献１】特開２００３−１６４６２６号公報
【特許文献２】特開２００３−１３５７７７号公報
【発明の開示】
【発明が解決しようとする課題】
【０００６】
しかしながら、上記した前者の遊技機用球払出装置では、球払出機構とカウントスイッチが別体で形成されているため、両者の位置合せを精度良く行う必要があり、組み付け作業に手間が掛かるといった問題があった。
【０００７】
また、上記した後者の遊技機用球払出装置では、カウントスイッチの故障時には球払出装置全体を交換する必要があるため、カウントスイッチの保守点検作業に手間が掛かり、不経済であるといった問題があった。
【０００８】
本発明は、上記した課題を解決すべくなされたものであり、球払出機構とカウントスイッチの組み付け作業を容易に精度良く行うことができ、カウントスイッチのメンテナンス作業を容易且つ経済的に行うことのできる遊技機用球払出装置を提供するものである。
【課題を解決するための手段】
【０００９】
本発明は、遊技盤５が装着された前枠２の背面側に取付けられた裏セット盤２０に対して着脱可能に設けられ、所定の払い出し条件に基づいて遊技者に球を払い出す遊技機用球払出装置４５であって、球を１球単位で払い出し可能な球払出機構部６１と、球払出機構部６１から払い出された球を計数可能なカウントスイッチ６２ａ，６２ｂと、球払出機構部６１及びカウントスイッチ６２ａ，６２ｂを着脱自在に収容可能な収容ケース体６３と、該収容ケース体６３及び収容ケース体６３に収容されたカウントスイッチ６２ａ，６２ｂを保持可能な保持レバー６４とを備えていることを特徴とする。
【００１０】
また、好ましくは、収容ケース体６３には、収容ケース体６３の前後左右及び上方への動きを規制した状態で裏セット盤２０に収容ケース体６３を仮止めするための係止部７８と、カウントスイッチ６２ａ，６２ｂの上下左右及び前方への動きを規制した状態で収容ケース体６３にカウントスイッチ６２ａ，６２ｂを収容するためのカウントスイッチ収容部７５ａ，７５ｂとが設けられ、保持レバー６４は、上下方向に回転可能なように収容ケース体６３の下方の部材に枢支され、収容ケース体６３の下方への動き及びカウントスイッチ６２ａ，６２ｂの後方への動きをそれぞれ規制可能に設けられていてもよい。
【発明の効果】
【００１１】
本発明によれば、球払出機構部とカウントスイッチの両方を収容可能な収容ケース体が一体で設けられていると共に、収容ケース体とカウントスイッチの両方の保持を保持レバー一部材だけで行うことができるため、球払出機構とカウントスイッチの組み付け作業を容易に精度良く行うことができ、また、球払出装置全体の交換作業を簡素化することができる。さらに、カウントスイッチは収容ケース体に着脱可能に収容されているため、カウントスイッチ単独の交換作業も容易に行うことができる。さらにまた、部品点数や製造工数が削減でき、球払出機構部とカウントスイッチの位置合せに手間が掛からないため、製造コストの低減化を図ることができる等、種々の優れた効果を得ることができる。
【発明を実施するための最良の形態】
【００１２】
以下、図面を参照しつつ、本発明の実施の形態について説明する。なお、以下の説明では、本発明をパチンコ遊技機に適用した場合について説明する。
【００１３】
先ず、図１及び図２を参照しつつ、パチンコ遊技機の概略構成について説明する。ここで、図１はパチンコ遊技機の正面図、図２はパチンコ遊技機の背面図を示している。このパチンコ遊技機は、方形枠状の外枠１と、外枠１の前面に設けられた前枠２とを備えており、前枠２は、外枠１の正面左側上下に設けられたヒンジ金具３ａ，３ｂにより開閉可能に設けられ、外枠１の正面右側に設けられた施錠具４により閉鎖状態に保持されるようになっている。また、前枠２内には、遊技盤５が収容され、遊技盤５の前面側に、図柄表示装置６、中央飾り７、始動入賞口８、大入賞口９、入賞口１０等の各種遊技部品がそれぞれ配設され、遊技領域１１が形成されている。さらに、遊技領域１１の最下部には、上記各入賞口８，９，１０に入賞せずに落下したアウト球を排出させるアウト口１２が設けられており、アウト口１２に集められたアウト球は遊技盤５の裏面側を通って機外に排出されるようになっている。
【００１４】
前枠２の正面側には、前枠２に対して開閉且つ着脱可能にガラス扉１３が設けられ、ガラス扉１３により遊技領域１１の前面側が閉鎖された状態で保持されるようになっている。また、前枠２のガラス扉１３の下方には上球皿１４が、さらにその上球皿１４の下方には下球皿１５がそれぞれ前方に突出して設けられ、上球皿１４には上球皿１４内の遊技球を下球皿１５に排出させるための球抜きレバー１６が設けられている。また、下球皿１５の正面右側には発射ハンドル１７が前方に突出して設けられ、発射ハンドル１７を時計回り方向に回動させると、上球皿１４から供給された遊技球が遊技領域１１に送出されるようになっている。さらにまた、遊技盤５上部の正面左側には球抜き操作孔１８が穿設されている。
【００１５】
前枠２の背面側には裏セット盤２０が設けられ、その裏セット盤２０は、背面側から見て右側（以降、左右方向はすべて背面側から見た方向を言うものとする。）の上下に設置されたヒンジ２１ａ，２１ｂにより開閉可能に設けられ、さらに、閉鎖レバー２２ａ，２２ｂ，２２ｃにより遊技盤５の裏面を覆うように閉鎖状態に保持されるようになっている。また、裏セット盤２０は外枠１より一回り小さい方形の枠体２３をベースにして構成され、枠体２３の中央部には矩形の開口部２４が形成されている。
【００１６】
裏セット盤２０には、開口部２４の上方に配設され、予備賞球２５（図３参照）の貯留及び供給処理を行う球貯留供給機構２６と、開口部２４の右方に配設され、球の案内及び払い出し処理を行う球案内払出機構２７と、球案内払出機構２７の下方に配設され、球案内払出機構２７から払い出された球を上球皿１４又は下球皿１５に排出するための球払出経路２８と、各種回路基板２９〜３４等が取付けられている。
【００１７】
球貯留供給機構２６は、予備賞球２５を貯留するタンク部材３５と、タンク部材３５内に貯留された予備賞球２５を整列させて流下させる整列樋部材３６とを有して構成されている。タンク部材３５は、上面が開放された箱状を成しており、底面の左側前方には球口（図示せず）が開口されており、底面は球出口に向かって緩く左傾及び前傾されている。整列樋部材３６は左右方向に長い樋形状を成しており、その内側には右方向に約４度の下り勾配で傾斜する前後２列の流路（図示せず）が形成されている。そして、整列樋部材３６は、左側端部においてタンク部材３５の球出口と連通し、右側端部には下方に折曲された偏向出口３７が形成され、偏向出口３７は下方に向かって開口されている。
【００１８】
また、整列樋部材３６の右端部近傍には、その先端部が前記カバー部材を挿通して整列樋部材３６の内部に突出し、整列樋部材３６内において予備賞球２５の流れを停止させることができるように、球止め機構３８が設けられている。
【００１９】
球案内払出機構２７は、整列樋部材３６の偏向出口３７の下方に擬似球有り状態創出機構４１及び球切れ検出スイッチ４２を介して配設されたカーブレール部材４３及び球抜き機構４４（図３参照）と、カーブレール部材４３の下方に設けられた球払出装置４５とを有して構成され、カーブレール部材４３及び球抜き機構４４の予備賞球２５が通過する部分の背面側は裏蓋４６により閉鎖されている。
【００２０】
図３は、球案内払出機構２７のうち、カーブレール部材４３、球払出装置４５、及び球抜き機構４４の一部分を拡大して示している。カーブレール部材４３は、枠体２３に突設されたボス４７に円筒支持部４８を嵌脱させることにより、枠体２３に対して後方から着脱自在に取付けられており、カーブレール部材４３には、通過する予備賞球２５の圧力を減少させるために蛇行して形成された各一列の賞球待機通路４９ａ，４９ｂ（４９ａは図７（ｂ）に図示）が前後に設けられている。また、各賞球待機通路４９ａ，４９ｂの上部には右方湾曲部５０が形成されており、その右方湾曲部５０の右側壁部は切欠されている。
【００２１】
球抜き機構４４は、枠体２３に揺動可能に枢支される流路切替部材５１と、流路切替部材５１の上方に位置し、その揺動操作を行う操作部材５２（図２参照）と、流路切替部材５１の下方に形成された球抜き通路５３とを有して構成されている。また、流路切替部材５１には、枠体２３に突設された支軸５４に枢支される支軸孔部５５と、支軸孔部５５の下方に位置し、各賞球待機通路４９ａ，４９ｂの切欠された右側壁部に合致する形状を成す経路切替部５６とが設けられ、流路切替部材５１は、その自重により支軸５４を支点にして時計回り方向に回転可能となっている。
【００２２】
再度、図２を参照すると、操作部材５２には前後方向に揺動自在に枢着されたレバー部材５７が設けられており、レバー部材５７の上端部にはレバー５８が右方に延出して形成されている。レバー５８は、前面側から球抜き操作孔１８に挿入される針金状の操作ピン（ハートキーとも言う）によって後方に押圧可能な位置に配設され、例えばこの操作ピンを使用して、レバー５８に対して後方に力を加えると、経路切替部５６が支軸５４を支点に反時計回りに回転し、賞球待機通路４９ａ，４９ｂの右方湾曲部５０の右側壁部分が開放され、この部分より上方に貯留又は待機していた予備賞球２５が球抜き通路５３を通って遊技機外に排出されるようになっている。
【００２３】
次に、図３及び図４〜図９を参照しつつ、球払出装置４５の構成及びその取り付け機構について説明する。ここで、図４は球払出装置４５の分解斜視図、図５は球払出装置４５を裏セット盤２０から取り外した状態を示す背面図、図６は球払出装置４５の下部を一部破断して示す斜視図、図７は（ａ）が球払出装置４５を取り付ける直前の状態を示す側面図、（ｂ）が球払出装置４５を取り付けた状態を示す側断面図、図８は図３のＡ−Ａ矢視図であって、（ａ）がカウントスイッチ６２ａ，６２ｂを取り付ける直前の状態を示し、（ｂ）がカウントスイッチ６２ａ，６２ｂを取り付けた状態を示し、また、図９は球払出装置４５の保持レバー６４の作用を示し、（ａ）が保持する直前の状態を示し、（ｂ）は保持した状態を示している。
【００２４】
球払出装置４５は、球を１球単位で払い出し可能な球払出機構部６１と、球払出機構部６１から払い出された球を計数可能な一対のカウントスイッチ６２ａ，６２ｂと、球払出機構部６１及びカウントスイッチ６２ａ，６２ｂを着脱自在に収容可能な収容ケース体６３と、収容ケース体６３及びカウントスイッチ６２ａ，６２ｂを保持可能な保持レバー６４とから構成されている。
【００２５】
球払出機構部６１には、収容ケース６３内の上部中央に流路形成部材６５が設けられ、流路形成部材６５には互いに左右反対側に屈曲する前方流路６６ａ及び後方流路６６ｂが収容ケース６３と共に形成され、前方流路６６ａ及び後方流路６６ｂはそれぞれ各賞球待機通路４９ａ，４９ｂに連通するようになっている。また、流路形成部材６５の下方には、前後２段の爪車６７ａ，６７ｂと、爪車６７ａ，６７ｂを回動させるためのステッピングモータ６８と、ステッピングモータ６８を支持するモータベース６９とが設けられており、モータベース６９には、爪車６７ａ，６７ｂの位置を検出するためのセンサ基板６０が固定されている。
【００２６】
また、前後の爪車６７ａ，６７ｂにはそれぞれ１２０度間隔で３個の球受け凹部７０ａ，７０ｂが形成されており、球受け凹部７０ａ，７０ｂは前後の爪車６７ａ，６７ｂにおいて６０度オフセットするように回転軸７１に取付けられている。これにより、流路形成部材６５に流入した予備賞球２５は、前後の爪車６７ａ，６７ｂの各球受け凹部７０ａ，７０ｂに交互に受け入れられ、爪車６７ａ，６７ｂの回動に従って左右いずれかの方向に振り分けられるようになっている。また、図示しないが、回転軸７１にはセンサ被検出部が設けられ、該センサ検出部を介して爪車６７ａ，６７ｂの回動動作がセンサ基板６０により検出されるようになっている。
【００２７】
収容ケース体６３は前後２分割されており、後面側が開放された箱状のベース体７２と、ベース体７２の後面側を閉塞するようにベース体７２に取付けられる蓋体７３とから構成されている。ベース体７２には、上部に流路形成部材６５、下部には球払出機構６１の爪車６７ａ，６７ｂがそれぞれ着脱自在に収容可能となっており、上面には流路形成部材６５の前方及び後方流路６６ａ，６６ｂに対応する位置に受入口７４が穿設されている。また、ベース体７２の左右下部にはそれぞれ後方からカウントスイッチ６２ａ，６２ｂを挿脱可能なカウントスイッチ収容部７５ａ，７５ｂが形成されており、カウントスイッチ６２ａ，６２ｂは上下左右及び前方への動きを規制された状態でカウントスイッチ収容部７５ａ，７５ｂに収容されるようになっている。そして、カウントスイッチ収容部７５ａ，７５ｂの下面にはカウントスイッチ収容部７５ａ，７５ｂに収容されたカウントスイッチ６２ａ，６２ｂの検出孔７６ａ，７６ｂに対応する位置にそれぞれ払出口７７ａ，７７ｂが形成されている。これにより、受入口７４から流路形成部材６５の前方及び後方流路６６ａ，６６ｂに流入した球は爪車６７ａ，６７ｂにより左右に振分けられ、カウントスイッチ６２ａ，６２ｂを通過後、左右いずれかの払出口７７ａ，７７ｂから払い出されるようになっている。また、ベース体７２の前面には、所要数、例えば、３個の係止片７８が形成されており、ベース体７２を枠体２３に沿って上方にスライドさせることにより、枠体２３に形成された仮止め爪７９に係止片７８が係止し、ベース体７２が前後左右及び上方への動きを規制された状態で枠体２３に仮止めされるようになっている。さらに、ベース体７２の下面後部中央には位置決め用欠切部８０が形成されている。
【００２８】
蓋体７３には、ステッピングモータ６８とセンサ基板６０がモータベース６９に固定された状態で着脱自在に収容可能となっており、下面にはレバー固定用突起部８１が下方に突出して形成されている。また、蓋体７３には、両側に取付孔８２が形成され、後方から取付孔８２にビスを挿入することにより蓋体７３がベース体７２に固定されるようになっている。さらに、蓋体７３には、ベース体７２の位置決め用欠切部８０に対応する位置に位置決め用突部８３が形成されており、位置決め用突部８３が位置決め用欠切部８０に係合することにより、蓋体７３のベース体７２に対する位置決めが行われるようになっている。
【００２９】
保持レバー６４は、球排出経路２８の蓋部材８４の上端部に突設された支軸受け部８５に枢支可能な枢軸部８６と、収容ケース体６３の下方への動きを規制可能な収容ケース体保持部８７と、カウントスイッチ６２ａ，６２ｂの後方への動きを規制可能なカウントスイッチ保持部８８と、保持レバー６４の操作用把持部８９とから構成されている。
【００３０】
枢軸部８６は、保持レバー６４の基端部に形成された支軸挿通部９０と、支軸挿通部９０及び球排出経路２８側の支軸受け部８５を挿通し、水平姿勢に支持される支軸ピン９１とから構成され、保持レバー６４は支軸ピン９１を支点に上下方向に回転可能となっている。
【００３１】
収容ケース体保持部８７は、保持レバー６４の先端面中央部から先端方向に突出した形状を成しており、蓋体７３の下面に当接可能且つレバー固定用突起部８１に係止可能に形成されている。これにより、保持レバー６４を上方に回転させ、起立姿勢にすると、図７（ｂ）に示すように、収容ケース体保持部８７は、蓋体７３の下面に当接し、収容ケース６３の下方への動きを規制すると共に、レバー固定用突起部８１に係止し、保持レバー６４の起立姿勢を保持するようになっている。
【００３２】
カウントスイッチ保持部８８は、先端部に形成された後方規制部９２ａ，９２ｂと、後方規制部９２ａ，９２ｂに対して直角に形成された側方規制部９３ａ，９３ｂとから構成されている。後方規制部９２ａ，９２ｂはカウントスイッチ収容部７５ａ，７５ｂに収容されたカウントスイッチ６２ａ，６２ｂのコネクタ部９４ａ，９４ｂより中央寄りの後面に近接して対峙可能なように形成され、コネクタ部９４ａ，９４ｂと干渉しないようになっている。また、側方規制部９３ａ，９３ｂはカウントスイッチ収容部７５ａ，７５ｂに収容されたカウントスイッチ６２ａ，６２ｂの中央寄りの側面に近接して対峙可能なように形成されている。これにより、保持レバー６４を上方に回転させ、起立姿勢にすると、図７（ｂ）及び図８（ｂ）に示すように、後方規制部９２ａ，９２ｂがカウントスイッチ６２ａ，６２ｂの後面に近接して対峙し、カウントスイッチ６２ａ，６２ｂの後方への動きを規制すると共に、側方規制部９３ａ，９３ｂがカウントスイッチ６２ａ，６２ｂの側面に近接して対峙し、カウントスイッチ６２ａ，６２ｂの側方への動きを補助的に規制し、さらに、カウントスイッチ６２ａ，６２ｂの後面及び側面が露出しないように保護するようになっている。
【００３３】
操作把持部８９は、保持レバー６４の後面側（保持レバー６４が水平姿勢の場合には保持レバーの下面側）に後方に突出して形成され、把持しやすい形状、例えば、背鰭状を成している。また、操作把持部８９は、保持レバー６４を下方に回転させると、球排出経路２８の蓋部材８４に形成された後方突出部９５の上面９６に当接し、保持レバー６４の開放角度を所定角度、例えば、９０度（水平姿勢）に規制するようになっている。これにより、球払出装置４５の点検等で球払出装置４５を取り外した時に、例え、球案内払出機構２７内等に球が残留していたとしても、水平姿勢の保持レバー６４によって落下する球を受けることができるので、球の散乱を防止することができる。
【００３４】
以下、主に、図２及び図３を参照しつつ、前記パチンコ遊技機における通常の遊技状態の時の球の流れについて説明する。
【００３５】
所定の条件の下、具体的には、各入賞口８，９，１０等への遊技球の入賞により、或いは、ＣＲ機による球貸し操作により、球払出装置４５は、回路基板３０からの払出指令信号に基づいてステッピングモータ６８を作動させる。そして、各入賞口８，９，１０等へ遊技球が入賞した場合には、爪車６７ａ，６７ｂを時計回りに回転駆動させ、また、ＣＲ機において球貸し操作をした場合には、反時計回りに爪車６７ａ，６７ｂを回転駆動させる。
【００３６】
そうすると、所定個数の予備賞球２５は、爪車６７ａ，６７ｂの前後の球受け凹部７０ａ，７０ｂに交互に受け入れられた後、爪車６７ａ，６７ｂの回動により、左右いずれかの払出口７７ａ，７７ｂに振分けられ、カウントスイッチ６２ａ，６２ｂを通って球払出経路２８に払い出され、上球皿１４又は下球皿１５へと流下する。
【００３７】
この時、球払出装置４５は、球切れ検出スイッチ４２が予備賞球２５により押圧されてる間は作動可能な状態となり、また、予備賞球２５がなくなり、球切れ検出スイッチ４２が押圧されなくなった時には、賞球の球払出し動作が停止される。
【００３８】
次に、図２〜図９により、球貯留供給機構２６及び球案内払出機構２７から予備賞球２５を排出させ、球払出装置４５又はカウントスイッチ６２ａ，６２ｂの交換作業を行う手順について説明する。
【００３９】
先ず、球貯留供給機構２６から予備賞球２５を排出させる手順を説明する。前記パチンコ遊技機の前面側から球抜き操作孔１８に前記操作ピンを挿入し、操作部材５２のレバー５８の上端部を後方に押圧する操作、或いは、裏セット盤２０の背面側からレバー５８の上端部を手前に引き込む操作をし、レバー部材５７を揺動変位させ、流路切替部材５１のロック状態を解除させる。すると、経路切替部５６が賞球待機通路４９ａ，４９ｂに待機している予備賞球２５からの押圧力を受け、流路切替部材５１は支軸５４を支点に反時計回りに揺動する。
【００４０】
そうすると、賞球待機通路４９ａ，４９ｂの右方湾曲部５０の右側壁部分が開放され、この部分より上方に貯留又は待機していた予備賞球２５は球抜き通路５３を通って遊技機外に排出される。
【００４１】
なお、この場合、球貯留供給機構２６の予備賞球２５は必ずしも排出させずに、球止め機構３８の先端部を整列樋部材３６の内部に突出させ、整列樋部材３６内における予備賞球２５の流れを停止させてもよい。
【００４２】
次に、球案内払出機構２７から予備賞球２５を排出させる手順を説明する。擬似球有り状態創出機構４１により、球切れ検出スイッチ４２を押圧し、あたかも予備賞球２５が存在しているかのような状態を創出させる。この状態において、入賞口１０等に遊技球を投入し、球払出装置４５を作動させ、球案内払出機構２７の下部及び球払出装置４５に貯留又は待機していた予備賞球２５を、球払出経路２８経由で、上球皿１４又は下球皿１５へと流下させ、排出させる。
【００４３】
次に、球払出装置４５又はカウントスイッチ６２ａ，６２ｂの交換作業の手順を説明する。球払出装置４５を交換する場合、支軸ピン９１を支点として保持レバー６４を下方に回転させる。そうすると、収容ケース体保持部８７がレバー固体用突起部８１に当接し、蓋体７３の下面が上方に弾性変形し、収容ケース体保持部８７とレバー固体用突起部８１との係止状態が解除される。そして、図７（ａ）によく示されているように、操作把持部８９は蓋部材８４の後方突出部９５の上面９６に当接し、保持レバー６４は水平姿勢に保持される。この状態で、収容ケース体６３を枠体２３に沿って下方にスライドさせると、係止片７８と仮止め爪７９との係止状態が解除され、収容ケース体６３を取り外すことができる。
【００４４】
また、球払出装置４５を取付ける場合には、上記した手順と反対に、収容ケース体６３を枠体２３に沿って上方にスライドさせると、係止片７８と仮止め爪７９とが係止し、収容ケース体６３は枠体２３に仮止めされた状態となる。そして、この状態で、支軸ピン９１を支点に保持レバー６４を上方に回転させると、収容ケース体保持部８７が、レバー固体用突起部８１と当接し、蓋体７３の下面が上方に弾性変形し、やがて、収容ケース体保持部８７は、レバー固体突起部８１を乗り越え、蓋体７３の下面に当接し、収容ケース６３の下方への動きを規制する。さらに、この時、後方規制部９２ａ，９２ｂはカウントスイッチ６２ａ，６２ｂの後面に近接して対峙し、カウントスイッチ６２ａ，６２ｂの後方への動きを規制すると共に、側方規制部９３ａ，９３ｂはカウントスイッチ６２ａ，６２ｂの側面に近接して対峙し、カウントスイッチ６２ａ，６２ｂの側方への動きを補助的に規制する。そして、図７（ｂ）及び図９（ｂ）によく示されているように、この収容ケース体保持部８７が蓋体７３の下面に当接した状態、及び後方規制部９２ａ，９２ｂがカウントスイッチ６２ａ，６２ｂの後面に近接して対峙すると共に側方規制部９３ａ，９３ｂがカウントスイッチ６２ａ，６２ｂの側面に近接して対峙した状態はいずれも、収容ケース体保持部８７がレバー固定用突起部８１に係止することにより保持される。
【００４５】
一方、カウントスイッチ６２ａ，６２ｂを交換する場合には、球払出装置４５を交換する場合と同様に、保持レバー６４を下方に回転させ、水平姿勢に開放させた状態で、カウントスイッチ６２ａ，６２ｂを後方に引き抜く。そして、別のカウントスイッチ６２ａ，６２ｂをカウントスイッチ収容部７５ａ，７５ｂに挿入し、保持レバー６４を上方に回転させ、後方規制部９２ａ，９２ｂによりカウントスイッチ６２ａ，６２ｂを保持させると共に、側方規制部９３ａ，９３ｂによりカウントスイッチ６２ａ，６２ｂを補助的に保持させる。
【００４６】
最後に、球払出装置４５又はカウントスイッチ６２ａ，６２ｂの交換作業が完了した後、再び、上記したいずれかの方法でレバー５８の上端部に対して後方に力を加える。流路切替部材５１は、その自重により支軸５４を支点に時計回り方向に回動し、経路切替部５６が賞球待機通路４９ａ，４９ｂ上部の右側壁切欠位置に復帰し、この状態でレバー５８を離すと、流路切替部材５１は元の状態に保持される。そして、球貯留供給機構２６及び球案内払出機構２７に遊技島から予備賞球２５を補給し、元の状態に復旧する。
【００４７】
なお、上記した実施の形態では、保持レバー６４は上下方向に回転可能なように収容ケース体６３の下方の球払出経路２８の蓋部材８４に枢支されているが、左右方向に回転可能なように収容ケース体６３の左右の部材に枢支させる等、保持レバー６４の取付け箇所、回転方向等については各種変更が可能である。
【００４８】
また、上記実施の形態では、左右２方向に払出す方式の球払出装置４５について説明したが、これは単なる例示であり、本発明は、爪車６７を一方向に回転させ、球を一方向に払出す方式の球払出装置にも適用可能である。
【００４９】
さらに、本発明は、タンク部材３５から直接、球払出装置４５に予備賞球２５が流下するように構成されたパチンコ遊技機にも適用可能である。
【００５０】
さらにまた、本発明は、アレンジボール遊技機や雀球遊技機等、パチンコ遊技機以外の遊技機にも適用可能であることは言う迄もない。
【図面の簡単な説明】
【００５１】
【図１】本発明の実施の形態に係るパチンコ遊技機を示す正面図である。
【図２】本発明の実施の形態に係るパチンコ遊技機を示す背面図である。
【図３】本発明の実施の形態における球案内払出機構の要部の拡大図である。
【図４】本発明の実施の形態における球払出装置の分解斜視図である。
【図５】本発明の実施の形態における球払出装置を裏セット盤から取り外した状態を示す背面図である。
【図６】本発明の実施の形態における球払出装置の下部を一部破断して示す斜視図である。
【図７】（ａ）は本発明の実施の形態における球払出装置を取り付ける直前の状態を示す側面図であり、（ｂ）はその球払出装置を取り付けた状態を示す側断面図である。
【図８】（ａ）は本発明の実施の形態におけるカウントスイッチを取り付ける直前の状態を示すＡ−Ａ矢視図であり、（ｂ）がそのカウントスイッチを取り付けた状態を示すＡ−Ａ矢視図である。
【図９】（ａ）は本発明の実施の形態における保持レバーが球払出装置を保持する直前の状態を部分的に示す側断面図であり、（ｂ）はその保持レバーが球払出装置を保持した状態を部分的に示す側断面図である。
【符号の説明】
【００５２】
２          前枠
５          遊技盤
２０        裏セット盤
４５        球払出装置
６１        球払出機構部
６２ａ      カウントスイッチ（左側）
６２ｂ      カウントスイッチ（右側）
６３        収容ケース体
６４        保持レバー
７５ａ      カウントスイッチ収容部（左側）
７５ｂ      カウントスイッチ収容部（右側）
７８        係止片
【図１】
2005152091.tif 000003
【図２】
2005152091.tif 000004
【図３】
2005152091.tif 000005
【図４】
2005152091.tif 000006
【図５】
2005152091.tif 000007
【図６】
2005152091.tif 000008
【図７】
2005152091.tif 000009
【図８】
2005152091.tif 000010
【図９】
2005152091.tif 000011